(57)【要約】【課題】接着剤や固定部材を用いることなく、包装箱に一体成形された緩衝フラップが包装箱内に折り込まれた状態から開かないようにする。【解決手段】第１緩衝フラップ41の側辺に切り欠き部43を形成し、第１緩衝フラップ41を第３折り曲げ線8fによって箱内方向に２つ折りにし、さらに第１折り曲げ線8bによって箱内に折り込む一方、第２緩衝フラップ42aを第２折り曲げ線8aによって箱内に折り込むと、第１緩衝フラップ41の切り欠き部43に第２緩衝フラップ42aが当接して、第１緩衝フラップ41の切り欠き部43によって第２緩衝フラップ41aの外方向に開くのが押さえられると同時に、第２緩衝フラップ42aの側辺によって第１緩衝フラップ41の外方向に開くのが押さえられる。【選択図】図２
2007106480.tif 000002
【特許請求の範囲】
【請求項１】
対向する一対の側面の一方の上端に第１折り曲げ線を介して第１緩衝フラップが連設され、一対の妻面の少なくとも一方の上端に第２折り曲げ線を介して第２緩衝フラップが連接され、
第１緩衝フラップの略中央に、前記側面の上辺と平行に第３折り曲げ線が形成され、第１緩衝フラップの側辺の、前記側面の上端から第３折り曲げ線にかけて切り欠き部が形成され、
第１緩衝フラップが、第３折り曲げ線によって箱内方向に２つ折りされ、さらに第１折り曲げ線によって箱内に折り込まれ、第２緩衝フラップが第２折り曲げ線によって箱内に折り込まれたときに、第１緩衝フラップの切り欠き部に第２緩衝フラップが当接し、第１緩衝フラップの切り欠き部によって第２緩衝フラップが外方向に開くのを押さえると同時に、第２緩衝フラップの側辺によって第１緩衝フラップが外方向に開くのを押さえるようにしたことを特徴とする特徴とする包装箱。
【発明の詳細な説明】
【技術分野】
【０００１】
本発明は包装箱に関し、より詳細には緩衝フラップを備えた包装箱に関するものである。
【背景技術】
【０００２】
被包装物を外部衝撃等から保護するために緩衝部材を包装箱に設けることがある。従来は包装箱と別に作製した緩衝部材を包装箱内に取り付ける、あるいは包装箱と一体に成形された緩衝フラップを包装箱内に折込み緩衝部材としていた。
【０００３】
緩衝フラップを包装箱内に折込み緩衝部材とする場合、折り曲げた緩衝フラップが復元力によって開くことがある。緩衝フラップが開いていると被包装物を包装箱に収納しにくくなる。そこで、折り曲げた緩衝フラップが復元力で開かないように、接着剤で固着するあるいは固定部材で緩衝フラップを部分的に固定するといった方策が採られていた。しかしこのような方策では包装工程の効率が落ちるという新たな問題が生じる。
【０００４】
特許文献１では、包装箱の緩衝フラップに関する技術ではないが、贈答箱の上箱において、上箱の内側に嵌め入れた内装材の脱落を防止するために、上箱の内側面の側辺に三角形状の抜け止め片を設けることが提案されている。
【特許文献１】実用新案登録第３０５９３７６号
【発明の開示】
【発明が解決しようとする課題】
【０００５】
前記提案の技術によれば、接着剤や固定部材を用いることなく、内装材の上箱からの脱落を防止できると考えられるが、展開状態から上箱を組み立てることが複雑で、時間と労力が掛かると考えられる。
【０００６】
本発明はこのような従来の問題に鑑みてなされたものであり、その目的とするところは、組立が容易な包装箱であって、接着剤や固定部材を用いることなく、包装箱に一体成形された緩衝フラップが、包装箱内に折り込まれた状態から開かないようにした包装箱を提供することにある。
【課題を解決するための手段】
【０００７】
前記目的を達成するため、本発明の包装箱では、対向する一対の側面の一方の上端に第１折り曲げ線を介して第１緩衝フラップが連設され、一対の妻面の少なくとも一方の上端に第２折り曲げ線を介して第２緩衝フラップが連接され、第１緩衝フラップの略中央に、前記側面の上辺と平行に第３折り曲げ線が形成され、第１緩衝フラップの側辺の、前記側面の上端から第３折り曲げ線にかけて切り欠き部が形成され、第１緩衝フラップが、第３折り曲げ線によって箱内方向に２つ折りされ、さらに第１折り曲げ線によって箱内に折り込まれ、第２緩衝フラップが第２折り曲げ線によって箱内に折り込まれたときに、第１緩衝フラップの切り欠き部に第２緩衝フラップが当接し、第１緩衝フラップの切り欠き部によって第２緩衝フラップが外方向に開くのを押さえると同時に、第２緩衝フラップの側辺によって第１緩衝フラップが外方向に開くのを押さえるようにした。
【発明の効果】
【０００８】
本発明の包装箱では、第１緩衝フラップの側辺に切り欠き部を形成し、第１緩衝フラップを第３折り曲げ線によって箱内方向に２つ折りにし、さらに第１折り曲げ線によって箱内に折り込む一方、第２緩衝フラップを第２折り曲げ線によって箱内に折り込むと、第１緩衝フラップの切り欠き部に第２緩衝フラップが当接して、第１緩衝フラップの切り欠き部によって第２緩衝フラップの外方向に開くのが押さえられると同時に、第２緩衝フラップの側辺によって第１緩衝フラップの外方向に開くのが押さえられる。これにより、接着剤や固定部材を用いることなく、しかも従来と同様の組立工程で緩衝フラップの外方向に開くのが有効に防止されるようになる。
【発明を実施するための最良の形態】
【０００９】
以下、本発明の包装箱について図に基づいて説明するが、本発明はこれらの実施形態に何ら限定されるものではない。
【００１０】
図１は、本発明の包装箱の一例を示す展開図である。図１の包装箱は、打ち抜かれた１枚の段ボール紙からなり、包装箱の側面を構成する側面１１ａ，１１ｂと妻面１２ａ，１２ｂが折り曲げ線７ａ，７ｂ，７ｃを介して連設されている。そして、対向する側面１１ａ，１１ｂの下端に底面フラップ２１ａ，２１ｂが連設され、対向する一対の妻面１２ａ，１２ｂの下端に補助フラップ２２ａ，２２ｂが連設されている。側面１１ｂの上端には折り曲げ線８ｄを介して蓋フラップ３が形成され、側面１１ａの上端には折り曲げ線（第１折り曲げ線）８ｂを介して第１緩衝フラップ４１が形成されている。
【００１１】
底面フラップ２１ａ，２１ｂと補助フラップ２２ａ，２２ｂを折り曲げ線７ｆ，７ｈ，７ｅ，７ｇで側面１１ａ，１１ｂと妻面１２ａ，１２ｂに重なるように折り曲げた後、底面フラップ２１ａ，２１ｂの側端に設けられた接着部６ａ，６ｂを斜め折り曲げ線７ｉ，７ｊで外側に折り曲げる。そして、側面１１ｂの側縁に設けた接着片１３と接着部６ａ，６ｂとに接着剤を塗布し、側面１１ｂ、妻面１２ａを折り曲げ線７ｃ，７ａで折り曲げて側面１１ｂの接着片１３を妻面１２ａに接着すると共に、底面フラップ２１ａ，２１ｂと補助フラップ２２ａ，２２ｂとを接合している。
【００１２】
このようないわゆるボトムロック式包装箱では、接着部６ａ，６ｂで接合した底面フラップ２１ａ，２１ｂと補助フラップ２２ａ，２２ｂの対が各々Ｌ字形の底半部を構成し、これら両底半部が折畳み状態において斜め折り曲げ線７ｉ，７ｊで上方へ山折りにして箱内側へ折り込まれており、この折畳み状態から包装箱を組み立てる際、平行四辺形状に偏平化していた側面を拡げて、側面間の角度が直角となるようにすることにより、両底半部が自然に平坦化しながら底面フラップ２１ａ，２１ｂの係合部５ａ，５ｂが係合して底面を形成する。これにより、包装箱の組み立てがワンタッチ操作で容易に且つ迅速に行える。
【００１３】
また図２（ａ）に示すように、組み立てられた包装箱の側面１１ａを強化するために、側面１１ａの上端に連設された第１緩衝フラップ４１の緩衝片４１１を折り曲げ線８ｆ（第３折り曲げ線、図１に図示）で内方へ折り曲げ緩衝片４１２と重ね、そして折り曲げ線８ｂ（図１に図示）で緩衝片４１２をさらに箱内へ折り込む。これにより包装箱の側面１１ａは３枚の段ボール紙が積層された状態となり、外部からの衝撃に対して大きな緩衝作用を奏するようになる。このとき、第１緩衝フラップ４１の緩衝片４１２の側辺に形成された切り欠き部４３によって、第１緩衝フラップ４１の緩衝片４１１の側部が露出するようになる。
【００１４】
同様にして、同図（ａ）、（ｂ）に示すように、第２緩衝フラップ４２ａの緩衝片４２１ａを折り曲げ線８ｅ（図１に図示）で折り曲げて緩衝片４２１ａを緩衝片４２２ａに重ね、そしてさらに緩衝片４２２ａを折り曲げ線８ａ（第２折り曲げ線、図１に図示）で箱内に折込む。これにより妻面１２ａは３枚の段ボール紙が積層状態となり、妻面１２ａの強化が図られる。
【００１５】
ここで図２（ｂ）及び図３から理解されるように、第２緩衝フラップ４２ａを箱内に折り込むと、第２緩衝フラップ４２ａはその復元力によって外方へ開こうとするが、緩衝片４２２ａの側部が、第１緩衝フラップ４１の側部に形成された切り欠き部４３に当接することによって、第２緩衝フラップ４２ａの外方への開きが防止される。また同時に、第２緩衝フラップ４２ａの側辺に、切り欠き部４３によって露出している第１緩衝フラップ４１の緩衝片４１１が当接することによって、第１緩衝フラップ４１の外方への開きが防止される。
【００１６】
このように本発明の包箱では、接着剤や固定部材を用いることなく、緩衝フラップを箱内に折り込むという従来と同様の作業によって、箱内に折り込んだ緩衝フラップが復元力で開くことが有効に防止される。
【００１７】
なお、妻面１２ｂ（図１に図示）についても、妻面１２ａと同様にして、第２緩衝フラップ４２ｂ（図１に図示）を箱内に折り込むことによって、緩衝片４２２ｂ（図１に図示）の側部が切り欠き部４４（図１に図示）に当接し、第２緩衝フラップ４２ｂ及び第１緩衝フラップ４１の外方への開きが防止される。もちろん、第２緩衝フラップ４２ｂに換えて仕切フラップ（不図示）を設けても構わない。このような実施形態であっても本発明に含まれることは言うまでもない。
【００１８】
このようにして組み立てられた包装箱内に、所定の被包装物を収納し、蓋フラップ３を閉じて包装箱を閉鎖する。具体的には図４に示すように、折り曲げ線８ｄで蓋フラップ３を折り曲げるとともに、係止片３１を折り曲げ線８ｈによって折り曲げ、対向する側面１１ａの上部に形成された開口部１５に係止片３１を挿入する。そしてロック片１４を折り曲げ線７ｋ，７ｍで折り曲げて、切り込み３２に挿入し蓋フラップ３を閉状態に固定する。なお、切り込み３２の中央部に形成された丸孔３３は、ロック片１４を切り込み３２から抜き出す際に利用するためのものである。
【００１９】
包装箱を構成する材料としては段ボール紙の他、厚紙など従来公知のものを使用することができ、被包装物の大きさや重さ、耐衝撃性などから適宜決定すればよい。
【図面の簡単な説明】
【００２０】
【図１】本発明の包装箱の一実施形態を示す展開図である。
【図２】図１の包装箱の組立工程を示す部分斜視図である。
【図３】第１緩衝フラップと第２緩衝フラップの当接状態を示す断面図である。
【図４】図１の包装箱の断面斜視図である。
【符号の説明】
【００２１】
８ｂ    第１折り曲げ線
８ａ，８ｃ    第２折り曲げ線
８ｆ    第３折り曲げ線
１１ａ、１１ｂ    側面
１２ａ，１２ｂ    妻面
４１    第１緩衝フラップ
４２ａ，４２ｂ    第２緩衝フラップ
４３，４４    切り欠き部
【図１】
2007106480.tif 000003
【図２】
2007106480.tif 000004
【図３】
2007106480.tif 000005
【図４】
2007106480.tif 000006